(57)【要約】  本願は間欠受信方法、端末装置及びネットワーク装置を開示し、該方法は、端末装置がネットワーク装置から送信されたダウンリンク制御チャネルを検出し、前記ダウンリンク制御チャネルに少なくとも１つの端末装置の少なくとも１つの間欠受信（ＤＲＸ）情報が含まれ、前記少なくとも１つの端末装置のうちの各端末装置のＤＲＸ情報はＤＲＸ周期におけるオン期間内にウェイクアップ又はスリープするように前記各端末装置に指示することに用いられることと、前記端末装置が前記少なくとも１つのＤＲＸ情報から前記端末装置のＤＲＸ情報を確定することと、前記端末装置が前記端末装置のＤＲＸ情報に基づき、前記オン期間内にウェイクアップするか又は前記オン期間内にスリープするかを確定することと、を含む。従って、異なる端末装置は自体がＤＲＸ周期においてスケジューリングされたかどうかを同時に把握して、スケジューリングされていない場合に該ＤＲＸ周期におけるオン期間内にスリープすることができ、それにより電力消費を更に低減する。
2020535677.tif 000002
【特許請求の範囲】
【請求項１】
第１端末装置がネットワーク装置から送信されたダウンリンク制御チャネルを検出し、前記ダウンリンク制御チャネルに少なくとも１つの端末装置の少なくとも１つの間欠受信（ＤＲＸ）情報が含まれ、前記少なくとも１つの端末装置のうちの各端末装置のＤＲＸ情報は、前記各端末装置のＤＲＸ情報の後のＤＲＸ周期におけるオン期間内にウェイクアップ又はスリープするように前記各端末装置に指示することに用いられることと、
前記第１端末装置が前記少なくとも１つのＤＲＸ情報から前記第１端末装置のＤＲＸ情報を確定することと、
前記第１端末装置が前記第１端末装置のＤＲＸ情報に基づき、前記オン期間内にウェイクアップ又はスリープすることと、を含むことを特徴とする間欠受信方法。
【請求項２】
前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられることを特徴とする請求項１に記載の方法。
【請求項３】
前記第１端末装置がネットワーク装置から送信されたダウンリンク制御チャネルを検出する前に、前記方法は更に、
前記第１端末装置が前記第１端末装置の装置識別子に基づき、前記ダウンリンク制御チャネルの属する制御チャネルグループを確定することと、
前記第１端末装置が複数の制御チャネルグループと複数の無線ネットワーク一時識別子（ＲＮＴＩ）とのマッピング関係に基づき、前記制御チャネルグループに対応する目標ＲＮＴＩを確定することと、を含み、
前記第１端末装置がネットワーク装置から送信されたダウンリンク制御チャネルを検出することは、
前記第１端末装置が前記目標ＲＮＴＩに基づき、前記ダウンリンク制御チャネルを検出することを含むことを特徴とする請求項１又は２に記載の方法。
【請求項４】
前記第１端末装置がネットワーク装置から送信されたダウンリンク制御チャネルを検出する前に、前記方法は更に、
前記第１端末装置がネットワーク装置から送信された、前記ダウンリンク制御チャネルを検出するための目標ＲＮＴＩを指示する第１構成情報を受信することを含み、
前記第１端末装置がネットワーク装置から送信されたダウンリンク制御チャネルを検出することは、
前記第１端末装置が前記目標ＲＮＴＩに基づき、前記ダウンリンク制御チャネルを検出することを含むことを特徴とする請求項１又は２に記載の方法。
【請求項５】
前記第１端末装置がネットワーク装置から送信されたダウンリンク制御チャネルを検出する前に、前記方法は更に、
前記第１端末装置が前記ネットワーク装置から送信された、前記ダウンリンク制御チャネルのチャネルフォーマットを指示するための第２構成情報を受信することを含み、
前記第１端末装置がネットワーク装置から送信されたダウンリンク制御チャネルを検出することは、
前記第１端末装置が前記ダウンリンク制御チャネルのチャネルフォーマットに基づき、前記ダウンリンク制御チャネルを検出することを含むことを特徴とする請求項１〜４のいずれか１項に記載の方法。
【請求項６】
前記第１端末装置がネットワーク装置から送信されたダウンリンク制御チャネルを検出することは、
前記第１端末装置が前記ネットワーク装置の前記ＤＲＸ周期の前に送信した前記ダウンリンク制御チャネルを検出すること、又は
前記第１端末装置が前記ネットワーク装置の前記ＤＲＸ周期におけるオン期間内の１番目のサブフレーム又は１番目のタイムスロットにおいて送信した前記ダウンリンク制御チャネルを検出すること、又は
前記第１端末装置が前記ネットワーク装置の制御チャネルの共通の探索空間において送信した前記ダウンリンク制御チャネルを検出することを含むことを特徴とする請求項１〜５のいずれか１項に記載の方法。
【請求項７】
前記第１端末装置が前記少なくとも１つのＤＲＸ情報から前記第１端末装置のＤＲＸ情報を確定することは、
前記第１端末装置が前記第１端末装置の番号に基づき、前記第１端末装置のＤＲＸ情報を確定することを含み、前記第１端末装置のＤＲＸ情報は前記少なくとも１つのＤＲＸ情報のうちの前記番号に対応するＤＲＸ情報であることを特徴とする請求項１〜６のいずれか１項に記載の方法。
【請求項８】
前記第１端末装置が前記第１端末装置の番号に基づき、前記第１端末装置のＤＲＸ情報を確定する前に、前記方法は更に、
前記第１端末装置が前記ネットワーク装置から送信された、前記第１端末装置の前記番号を指示するための第３構成情報を受信することを含むことを特徴とする請求項７に記載の方法。
【請求項９】
ネットワーク装置が少なくとも１つの端末装置の少なくとも１つの間欠受信（ＤＲＸ）情報を確定し、前記少なくとも１つの端末装置のうちの各端末装置のＤＲＸ情報は、前記各端末装置のＤＲＸ情報の後のＤＲＸ周期におけるオン期間内にウェイクアップ又はスリープするように前記各端末装置に指示することに用いられることと、
前記ネットワーク装置が第１端末装置にダウンリンク制御チャネルを送信し、前記ダウンリンク制御チャネルに前記少なくとも１つのＤＲＸ情報が含まれ、それにより、前記第１端末装置が前記少なくとも１つのＤＲＸ情報から前記第１端末装置のＤＲＸ情報を確定して、前記第１端末装置のＤＲＸ情報に基づき、前記オン期間内にウェイクアップ又はスリープすることと、を含むことを特徴とする間欠受信方法。
【請求項１０】
前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられることを特徴とする請求項９に記載の方法。
【請求項１１】
前記ネットワーク装置が前記第１端末装置にダウンリンク制御チャネルを送信する前に、前記方法は更に、
前記ネットワーク装置が前記第１端末装置に複数の制御チャネルグループと複数の無線ネットワーク一時識別子（ＲＮＴＩ）とのマッピング関係を送信することを含み、前記第１端末装置は前記ダウンリンク制御チャネルの目標ＲＮＴＩを検出することに用いられ、前記目標ＲＮＴＩは前記ダウンリンク制御チャネルの属する制御チャネルグループに対応するＲＮＴＩであることを特徴とする請求項９又は１０に記載の方法。
【請求項１２】
前記ネットワーク装置が前記第１端末装置にダウンリンク制御チャネルを送信する前に、前記方法は更に、
前記ネットワーク装置は前記ダウンリンク制御チャネルを検出するための目標ＲＮＴＩを指示する第１構成情報を前記第１端末装置に送信することを含むことを特徴とする請求項９又は１０に記載の方法。
【請求項１３】
前記ネットワーク装置が前記第１端末装置にダウンリンク制御チャネルを送信する前に、前記方法は更に、
前記ネットワーク装置は前記ダウンリンク制御チャネルのチャネルフォーマットを指示するための第２構成情報を前記第１端末装置に送信することを含むことを特徴とする請求項９〜１２のいずれか１項に記載の方法。
【請求項１４】
前記ネットワーク装置が前記第１端末装置にダウンリンク制御チャネルを送信することは、
前記ネットワーク装置が前記ＤＲＸ周期の前に前記第１端末装置に前記ダウンリンク制御チャネルを送信すること、又は
前記ネットワーク装置が前記ＤＲＸ周期におけるオン期間内の１番目のサブフレーム又は１番目のタイムスロットにおいて前記第１端末装置に前記ダウンリンク制御チャネルを送信すること、又は
前記ネットワーク装置が制御チャネルの共通の探索空間において前記第１端末装置に前記ダウンリンク制御チャネルを送信することを含むことを特徴とする請求項９〜１３のいずれか１項に記載の方法。
【請求項１５】
前記ネットワーク装置が前記第１端末装置にダウンリンク制御チャネルを送信する前に、前記方法は更に、
前記ネットワーク装置は前記第１端末装置の番号を指示する第３構成情報を前記第１端末装置に送信することを含み、前記第１端末装置のＤＲＸ情報は前記少なくとも１つのＤＲＸ情報のうちの前記番号に対応するＤＲＸ情報であることを特徴とする請求項９〜１４のいずれか１項に記載の方法。
【請求項１６】
端末装置であって、前記端末装置は第１端末装置であり、前記端末装置は、
ネットワーク装置から送信されたダウンリンク制御チャネルを検出することに用いられ、前記ダウンリンク制御チャネルに少なくとも１つの端末装置の少なくとも１つの間欠受信（ＤＲＸ）情報が含まれ、前記少なくとも１つの端末装置のうちの各端末装置のＤＲＸ情報が、前記各端末装置のＤＲＸ情報の後のＤＲＸ周期におけるオン期間内にウェイクアップ又はスリープするように前記各端末装置に指示することに用いられる送受信ユニットと、
前記送受信ユニットの検出した前記少なくとも１つのＤＲＸ情報から前記第１端末装置のＤＲＸ情報を確定することに用いられる確定ユニットと、
前記確定ユニットの確定した前記第１端末装置のＤＲＸ情報に基づき、前記オン期間内にウェイクアップ又はスリープすることに用いられる処理ユニットと、を備えることを特徴とする端末装置。
【請求項１７】
前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられることを特徴とする請求項１６に記載の端末装置。
【請求項１８】
前記確定ユニットは更に、
前記第１端末装置の装置識別子に基づき、前記ダウンリンク制御チャネルの属する制御チャネルグループを確定することと、
複数の制御チャネルグループと複数の無線ネットワーク一時識別子（ＲＮＴＩ）とのマッピング関係に基づき、前記制御チャネルグループに対応する目標ＲＮＴＩを確定することと、に用いられ、
前記送受信ユニットは具体的に、
前記目標ＲＮＴＩに基づき、前記ダウンリンク制御チャネルを検出することに用いられることを特徴とする請求項１６又は１７に記載の端末装置。
【請求項１９】
前記送受信ユニットは更に、
ネットワーク装置から送信された、前記ダウンリンク制御チャネルを検出するための目標ＲＮＴＩを指示する第１構成情報を受信することと、
前記目標ＲＮＴＩに基づき、前記ダウンリンク制御チャネルを検出することと、に用いられることを特徴とする請求項１６又は１７に記載の端末装置。
【請求項２０】
前記送受信ユニットは更に、
前記ネットワーク装置から送信された、前記ダウンリンク制御チャネルのチャネルフォーマットを指示するための第２構成情報を受信することと、
前記ダウンリンク制御チャネルのチャネルフォーマットに基づき、前記ダウンリンク制御チャネルを検出することと、に用いられることを特徴とする請求項１６〜１９のいずれか１項に記載の端末装置。
【請求項２１】
前記送受信ユニットは具体的に、
前記ネットワーク装置の前記ＤＲＸ周期の前に送信した前記ダウンリンク制御チャネルを検出すること、又は
前記ネットワーク装置の前記ＤＲＸ周期におけるオン期間内の１番目のサブフレーム又は１番目のタイムスロットにおいて送信した前記ダウンリンク制御チャネルを検出すること、又は
前記ネットワーク装置の制御チャネルの共通の探索空間において送信した前記ダウンリンク制御チャネルを検出することに用いられることを特徴とする請求項１６〜２０のいずれか１項に記載の端末装置。
【請求項２２】
前記確定ユニットは具体的に、
前記第１端末装置の番号に基づき、前記第１端末装置のＤＲＸ情報を確定することに用いられ、前記第１端末装置のＤＲＸ情報は前記少なくとも１つのＤＲＸ情報のうちの前記番号に対応するＤＲＸ情報であることを特徴とする請求項１６〜２１のいずれか１項に記載の端末装置。
【請求項２３】
前記送受信ユニットは更に、
前記ネットワーク装置から送信された、前記第１端末装置の前記番号を指示するための第３構成情報を受信することに用いられることを特徴とする請求項２２に記載の端末装置。
【請求項２４】
少なくとも１つの端末装置の少なくとも１つの間欠受信（ＤＲＸ）情報を確定することに用いられ、前記少なくとも１つの端末装置のうちの各端末装置のＤＲＸ情報は、前記各端末装置のＤＲＸ情報の後のＤＲＸ周期におけるオン期間内にウェイクアップ又はスリープするように前記各端末装置に指示することに用いられる確定ユニットと、
第１端末装置にダウンリンク制御チャネルを送信することに用いられ、前記ダウンリンク制御チャネルに前記確定ユニットの確定した前記少なくとも１つのＤＲＸ情報が含まれ、それにより、前記第１端末装置が前記少なくとも１つのＤＲＸ情報から前記第１端末装置のＤＲＸ情報を確定して、前記第１端末装置のＤＲＸ情報に基づき、前記オン期間内にウェイクアップ又はスリープする送受信ユニットと、を備えることを特徴とするネットワーク装置。
【請求項２５】
前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられることを特徴とする請求項２４に記載のネットワーク装置。
【請求項２６】
前記送受信ユニットは更に、
前記第１端末装置に複数の制御チャネルグループと複数の無線ネットワーク一時識別子（ＲＮＴＩ）とのマッピング関係を送信することに用いられ、前記第１端末装置は前記ダウンリンク制御チャネルの目標ＲＮＴＩを検出することに用いられ、前記目標ＲＮＴＩは前記ダウンリンク制御チャネルの属する制御チャネルグループに対応するＲＮＴＩであることを特徴とする請求項２４又は２５に記載のネットワーク装置。
【請求項２７】
前記送受信ユニットは更に、
前記ダウンリンク制御チャネルを検出するための目標ＲＮＴＩを指示する第１構成情報を前記第１端末装置に送信することに用いられることを特徴とする請求項２４又は２６に記載のネットワーク装置。
【請求項２８】
前記送受信ユニットは更に、
前記ダウンリンク制御チャネルのチャネルフォーマットを指示するための第２構成情報を前記第１端末装置に送信することに用いられることを特徴とする請求項２４〜２７のいずれか１項に記載のネットワーク装置。
【請求項２９】
前記送受信ユニットは具体的に、
前記ＤＲＸ周期の前に前記第１端末装置に前記ダウンリンク制御チャネルを送信すること、又は
前記ＤＲＸ周期におけるオン期間内の１番目のサブフレーム又は１番目のタイムスロットにおいて前記第１端末装置に前記ダウンリンク制御チャネルを送信すること、又は
制御チャネルの共通の探索空間において前記第１端末装置に前記ダウンリンク制御チャネルを送信することに用いられることを特徴とする請求項２４〜２８のいずれか１項に記載のネットワーク装置。
【請求項３０】
前記送受信ユニットは更に、
前記第１端末装置の番号を指示する第３構成情報を前記第１端末装置に送信することに用いられ、前記第１端末装置のＤＲＸ情報は前記少なくとも１つのＤＲＸ情報のうちの前記番号に対応するＤＲＸ情報であることを特徴とする請求項２４〜２９のいずれか１項に記載のネットワーク装置。
【発明の詳細な説明】
【技術分野】
【０００１】
本願の実施例は無線通信分野に関し、より具体的に、間欠受信方法、端末装置及びネットワーク装置に関する。
【背景技術】
【０００２】
端末装置の節電のために、間欠転送（ＤＲＸ、Ｄｉｓｃｏｎｔｉｎｕｏｕｓ  Ｒｅｃｅｐｔｉｏｎ）メカニズムが導入されている。各ＤＲＸ周期（ＤＲＸ  Ｃｙｃｌｅ）にはオン期間（ｏｎ  ｄｕｒａｔｉｏｎ）及びオフ期間（Ｏｐｐｏｒｔｕｎｉｔｙ  ｆｏｒ  ＤＲＸ）が含まれ、オン期間にあるとき、端末装置は制御チャネルを検出するが、オフ期間にあるとき、端末装置は制御チャネルの受信を停止する（この時、端末装置は制御チャネルのブラインド検出を停止する）ことにより電力消費を低減することができ、それにより電池の使用時間を延長する。
【０００３】
ネットワークは端末装置にＤＲＸメカニズムを構成し、端末装置がオン期間内に制御チャネルを周期的に検出するようにするが、端末装置はオン期間内に機会的にスケジューリングされることになり、ひいては端末装置はサービス負荷がとても低い場合、少数のＤＲＸ周期のみにおいてスケジューリングされることになり、ＤＲＸメカニズムを用いるページングメッセージについては、端末がページングメッセージを受信した機会は更に少なくなる。従って、端末装置はＤＲＸメカニズムを構成した後、多数のオン期間内に制御チャネルを検出できないが、依然としてウェイクアップされることになり、このように、不必要な電力消費を増加させる。従って、電力消費を更に低減するために、異なる端末装置がどのように自体がＤＲＸ周期においてスケジューリングされたかどうかを把握するかは、早急な解決の待たれる問題となる。
【発明の概要】
【発明が解決しようとする課題】
【０００４】
本願の実施例は間欠受信方法、端末装置及びネットワーク装置を提供し、それにより、異なる端末装置は自体がＤＲＸ周期においてスケジューリングされたかどうかを同時に把握して、スケジューリングされていない場合に該ＤＲＸ周期におけるオン期間内にスリープするようにして、電力消費を更に低減することができる。
【課題を解決するための手段】
【０００５】
第１態様では、間欠受信方法を提供し、前記間欠受信方法は、第１端末装置がネットワーク装置から送信されたダウンリンク制御チャネルを検出し、前記ダウンリンク制御チャネルに少なくとも１つの端末装置の少なくとも１つの間欠受信（ＤＲＸ）情報が含まれ、前記少なくとも１つの端末装置のうちの各端末装置のＤＲＸ情報が、前記各端末装置のＤＲＸ情報の後のＤＲＸ周期におけるオン期間（ｏｎ  ｄｕｒａｔｉｏｎ）内にウェイクアップ又はスリープするように前記各端末装置に指示することに用いられることと、前記第１端末装置が前記少なくとも１つのＤＲＸ情報から前記第１端末装置のＤＲＸ情報を確定することと、前記第１端末装置が前記第１端末装置のＤＲＸ情報に基づき、前記オン期間内にウェイクアップ又はスリープすることと、を含む。
【０００６】
従って、ネットワーク装置は複数の端末装置に該複数の端末装置の複数のＤＲＸ情報を同時に指示し、該複数の端末装置のうちの第１端末装置は該複数のＤＲＸ情報から自体のＤＲＸ情報を確定して、自体のＤＲＸ情報に基づいてその後のＤＲＸ周期におけるオン期間内にウェイクアップ又はスリープし、その後のＤＲＸ周期においてスケジューリングされていない場合、第１端末装置は該ＤＲＸ周期におけるオン期間内にスリープすることができるため、第１端末装置の電力消費を更に低減する。
【０００７】
可能な実現方式では、前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられる。
【０００８】
可能な実現方式では、前記第１端末装置がネットワーク装置から送信されたダウンリンク制御チャネルを検出する前に、前記方法は更に、前記第１端末装置が前記第１端末装置の装置識別子に基づき、前記ダウンリンク制御チャネルの属する制御チャネルグループを確定することと、前記第１端末装置が複数の制御チャネルグループと複数の無線ネットワーク一時識別子（ＲＮＴＩ）とのマッピング関係に基づき、前記制御チャネルグループに対応する目標ＲＮＴＩを確定することと、を含み、
前記第１端末装置がネットワーク装置から送信されたダウンリンク制御チャネルを検出することは、前記第１端末装置が前記目標ＲＮＴＩに基づき、前記ダウンリンク制御チャネルを検出することを含む。
【０００９】
例えば、該第１端末装置は該第１端末装置の装置識別子（ＩＤ、Ｉｄｅｎｔｉｔｙ）、例えばＵＥ−ＩＤに基づいて、ＵＥ−ＩＤ  ｍｏｄ  Ｍを基に該ダウンリンク制御チャネルの位置する制御チャネルグループの番号を計算し、Ｍは正の整数であって、制御チャネルグループの総数である。第１端末装置は算出された制御チャネルグループの番号、及びＭ個の制御チャネルグループとＭ個のＲＮＴＩとのマッピング関係に基づき、該ダウンリンク制御チャネルを検出するためのＲＮＴＩを確定して、該目標ＲＮＴＩに基づき、該ダウンリンク制御チャネルを検出する。
【００１０】
選択肢として、複数の制御チャネルグループと複数のＲＮＴＩとのマッピング関係はネットワーク装置が無線リソース制御（ＲＲＣ、Ｒａｄｉｏ  Ｒｅｓｏｕｒｃｅ  Ｃｏｎｔｒｏｌ）シグナリングによって端末装置に通知したものであってもよく、又は該マッピング関係は端末装置とネットワーク装置とが予め決めた、端末装置に予め記憶されるものであってもよい。
【００１１】
可能な実現方式では、前記第１端末装置がネットワーク装置から送信されたダウンリンク制御チャネルを検出する前に、前記方法は更に、前記第１端末装置がネットワーク装置から送信された、前記ダウンリンク制御チャネルを検出するための目標ＲＮＴＩを指示する第１構成情報を受信することを含み、
前記第１端末装置がネットワーク装置から送信されたダウンリンク制御チャネルを検出することは、前記第１端末装置が前記目標ＲＮＴＩに基づき、前記ダウンリンク制御チャネルを検出することを含む。
【００１２】
可能な実現方式では、前記第１端末装置がネットワーク装置から送信されたダウンリンク制御チャネルを検出する前に、前記方法は更に、前記第１端末装置が前記ネットワーク装置から送信された、前記ダウンリンク制御チャネルのチャネルフォーマットを指示するための第２構成情報を受信することを含み、
前記第１端末装置がネットワーク装置から送信されたダウンリンク制御チャネルを検出することは、前記第１端末装置が前記ダウンリンク制御チャネルのチャネルフォーマットに基づき、前記ダウンリンク制御チャネルを検出することを含む。
【００１３】
可能な実現方式では、前記第１端末装置がネットワーク装置から送信されたダウンリンク制御チャネルを検出することは、前記第１端末装置が前記ネットワーク装置の前記ＤＲＸ周期の前に送信した前記ダウンリンク制御チャネルを検出すること、又は、前記第１端末装置が前記ネットワーク装置の前記ＤＲＸ周期におけるオン期間内の１番目のサブフレーム又は１番目のタイムスロットにおいて送信した前記ダウンリンク制御チャネルを検出すること、又は、前記第１端末装置が前記ネットワーク装置の制御チャネルの共通の探索空間において送信した前記ダウンリンク制御チャネルを検出することを含む。
【００１４】
可能な実現方式では、前記第１端末装置が前記少なくとも１つのＤＲＸ情報から前記第１端末装置のＤＲＸ情報を確定することは、前記第１端末装置が前記第１端末装置の番号に基づき、前記第１端末装置のＤＲＸ情報を確定することを含み、前記第１端末装置のＤＲＸ情報は前記少なくとも１つのＤＲＸ情報のうちの前記番号に対応するＤＲＸ情報である。
【００１５】
可能な実現方式では、前記第１端末装置が前記第１端末装置の番号に基づき、前記第１端末装置のＤＲＸ情報を確定する前に、前記方法は更に、前記第１端末装置が前記ネットワーク装置から送信された、前記第１端末装置の前記番号を指示するための第３構成情報を受信することを含む。
【００１６】
第２態様では、間欠受信方法を提供し、前記間欠受信方法は、ネットワーク装置が少なくとも１つの端末装置の少なくとも１つの間欠受信（ＤＲＸ）情報を確定し、前記少なくとも１つの端末装置のうちの各端末装置のＤＲＸ情報が、前記各端末装置のＤＲＸ情報の後のＤＲＸ周期におけるオン期間内にウェイクアップ又はスリープするように前記各端末装置に指示することに用いられることと、前記ネットワーク装置が第１端末装置にダウンリンク制御チャネルを送信し、前記ダウンリンク制御チャネルに前記少なくとも１つのＤＲＸ情報が含まれ、それにより、前記第１端末装置が前記少なくとも１つのＤＲＸ情報から前記第１端末装置のＤＲＸ情報を確定して、前記第１端末装置のＤＲＸ情報に基づき、前記オン期間内にウェイクアップ又はスリープすることと、を含む。
【００１７】
従って、ネットワーク装置は複数の端末装置に該複数の端末装置の複数のＤＲＸ情報を同時に指示することにより、装置レベルのＤＲＸ情報の指示を実現し、これにより、該複数の端末装置は複数のＤＲＸ情報からそれぞれのＤＲＸ情報を確定した後、それぞれのＤＲＸ情報に基づいてその後のＤＲＸ周期におけるオン期間内にウェイクアップ又はスリープすることができ、それによりその後のＤＲＸ周期においてスケジューリングされていない端末装置は、該ＤＲＸ周期におけるオン期間内にスリープすることができ、電力消費を更に低減する。
【００１８】
可能な実現方式では、前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられる。
【００１９】
可能な実現方式では、前記ネットワーク装置が前記第１端末装置にダウンリンク制御チャネルを送信する前に、前記方法は更に、前記ネットワーク装置が前記第１端末装置に複数の制御チャネルグループと複数の無線ネットワーク一時識別子（ＲＮＴＩ）とのマッピング関係を送信することを含み、前記第１端末装置は前記ダウンリンク制御チャネルの目標ＲＮＴＩを検出することに用いられ、前記目標ＲＮＴＩは前記ダウンリンク制御チャネルの属する制御チャネルグループに対応するＲＮＴＩである。
【００２０】
可能な実現方式では、前記ネットワーク装置が前記第１端末装置にダウンリンク制御チャネルを送信する前に、前記方法は更に、前記ネットワーク装置は前記ダウンリンク制御チャネルを検出するための目標ＲＮＴＩを指示する第１構成情報を前記第１端末装置に送信することを含む。
【００２１】
可能な実現方式では、前記ネットワーク装置が前記第１端末装置にダウンリンク制御チャネルを送信する前に、前記方法は更に、前記ネットワーク装置は前記ダウンリンク制御チャネルのチャネルフォーマットを指示するための第２構成情報を前記第１端末装置に送信することを含む。
【００２２】
可能な実現方式では、前記ネットワーク装置が前記第１端末装置にダウンリンク制御チャネルを送信することは、前記ネットワーク装置が前記ＤＲＸ周期の前に前記第１端末装置に前記ダウンリンク制御チャネルを送信すること、又は、前記ネットワーク装置が前記ＤＲＸ周期におけるオン期間内の１番目のサブフレーム又は１番目のタイムスロットにおいて前記第１端末装置に前記ダウンリンク制御チャネルを送信すること、又は、前記ネットワーク装置が制御チャネルの共通の探索空間において前記第１端末装置に前記ダウンリンク制御チャネルを送信することを含む。
【００２３】
可能な実現方式では、前記ネットワーク装置が前記第１端末装置にダウンリンク制御チャネルを送信する前に、前記方法は更に、前記ネットワーク装置は前記第１端末装置の番号を指示する第３構成情報を前記第１端末装置に送信することを含み、前記第１端末装置のＤＲＸ情報は前記少なくとも１つのＤＲＸ情報のうちの前記番号に対応するＤＲＸ情報である。
【００２４】
第３態様では、端末装置を提供し、該端末装置は上記第１態様又は第１態様のいずれか１つの選択可能な実現方式における端末装置の操作を実行することができる。具体的に、該端末装置は上記第１態様又は第１態様のいずれか１つの可能な実現方式における端末装置の操作を実行するためのモジュールユニットを備えてもよい。
【００２５】
第４態様では、ネットワーク装置を提供し、該ネットワーク装置は上記第２態様又は第２態様のいずれか１つの選択可能な実現方式におけるネットワーク装置の操作を実行することができる。具体的に、該ネットワーク装置は上記第２態様又は第２態様のいずれか１つの可能な実現方式におけるネットワーク装置の操作を実行するためのモジュールユニットを備えてもよい。
【００２６】
第５態様では、端末装置を提供し、該端末装置はプロセッサ、送受信機及びメモリを備える。該プロセッサ、送受信機及びメモリは内部接続経路によって互いに通信する。該メモリは命令を記憶することに用いられ、該プロセッサは該メモリに記憶される命令を実行することに用いられる。該プロセッサが該メモリに記憶される命令を実行するとき、該実行によって該端末装置は第１態様又は第１態様のいずれか１つの可能な実現方式における方法を実行し、又は該実行によって該端末装置は第３態様による端末装置を実現する。
【００２７】
第６態様では、ネットワーク装置を提供し、該ネットワーク装置はプロセッサ、送受信機及びメモリを備える。該プロセッサ、送受信機及びメモリは内部接続経路によって互いに通信する。該メモリは命令を記憶することに用いられ、該プロセッサは該メモリに記憶される命令を実行することに用いられる。該プロセッサが該メモリに記憶される命令を実行するとき、該実行によって該ネットワーク装置は第２態様又は第２態様のいずれか１つの可能な実現方式における方法を実行し、又は該実行によって該ネットワーク装置は第４態様によるネットワーク装置を実現する。
【００２８】
第７態様では、コンピュータ可読記憶媒体を提供し、前記コンピュータ可読記憶媒体にはプログラムが記憶され、前記プログラムによって端末装置は上記第１態様及びその様々な実現方式におけるいずれか１つの間欠受信方法を実行する。
【００２９】
第８態様では、コンピュータ可読記憶媒体を提供し、前記コンピュータ可読記憶媒体にはプログラムが記憶され、前記プログラムによってネットワーク装置は上記第２態様及びその様々な実現方式におけるいずれか１つの間欠受信方法を実行する。
【００３０】
第９態様では、システムチップを提供し、該システムチップは入力インターフェース、出力インターフェース、プロセッサ及びメモリを備え、該プロセッサは該メモリに記憶される命令を実行することに用いられ、該命令が実行されるとき、該プロセッサは上記第１態様又は第１態様のいずれか１つの可能な実現方式における方法を実現することができる。
【００３１】
第１０態様では、システムチップを提供し、該システムチップは入力インターフェース、出力インターフェース、プロセッサ及びメモリを備え、該プロセッサは該メモリに記憶される命令を実行することに用いられ、該命令が実行されるとき、該プロセッサは上記第２態様又は第２態様のいずれか１つの可能な実現方式における方法を実現することができる。
【００３２】
第１１態様では、命令を含むコンピュータプログラム製品を提供し、前記コンピュータプログラム製品がコンピュータにおいて実行されるとき、該コンピュータは上記第１態様又は第１態様のいずれか１つの可能な実現方式における方法を実行する。
【００３３】
第１２態様では、命令を含むコンピュータプログラム製品を提供し、前記コンピュータプログラム製品がコンピュータにおいて実行されるとき、該コンピュータは上記第２態様又は第２態様のいずれか１つの可能な実現方式における方法を実行する。
【図面の簡単な説明】
【００３４】
【図１】図１は本願の実施例の応用シーンのアーキテクチャ模式図である。
【図２】図２はＤＲＸ周期の模式図である。
【図３】図３は本願の実施例の間欠受信方法の模式的なフローチャートである。
【図４】図４は本願の実施例の間欠受信方法の模式的なフローチャートである。
【図５】図５は本願の実施例の端末装置の模式的なブロック図である。
【図６】図６は本願の実施例のネットワーク装置の模式的なブロック図である。
【図７】図７は本願の実施例の端末装置の構造模式図である。
【図８】図８は本願の実施例のネットワーク装置の構造模式図である。
【図９】図９は本願の実施例のシステムチップの構造模式図である。
【発明を実施するための形態】
【００３５】
以下、図面を参照しながら、本願の実施例の技術案を説明する。
【００３６】
理解されるべきように、本願の実施例の技術案は様々な通信システム、例えば、モバイル通信用グローバル（ＧＳＭ、Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ、Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ、Ｗｉｄｅｂａｎｄ  Ｃｏｄｅ  Ｄｉｖｉｓｉｏｎ  Ｍｕｌｔｉｐｌｅ  Ａｃｃｅｓｓ）システム、ロングタームエボリューション（ＬＴＥ、Ｌｏｎｇ  Ｔｅｒｍ  Ｅｖｏｌｕｔｉｏｎ）システム、ＬＴＥ周波数分割複信（ＦＤＤ、Ｆｒｅｑｕｅｎｃｙ  Ｄｉｖｉｓｉｏｎ  Ｄｕｐｌｅｘ）システム、ＬＴＥ時分割複信（ＴＤＤ、Ｔｉｍｅ  Ｄｉｖｉｓｉｏｎ  Ｄｕｐｌｅｘ）、ユニバーサルモバイルテレコミュニケーションズシステム（ＵＭＴＳ、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）及び将来の５Ｇ通信システム等に適用されてもよい。
【００３７】
本願は端末装置と組み合わせて各実施例を説明した。端末装置とは更にユーザー装置（ＵＥ、Ｕｓｅｒ  Ｅｑｕｉｐｍｅｎｔ）、アクセス端末、ユーザーユニット、加入者局、移動局、トラバーサー、遠隔局、遠隔端末、モバイルデバイス、ユーザー端末、端末、無線通信装置、ユーザーエージェント又はユーザーデバイスを指してもよい。アクセス端末はセルラー方式の電話、コードレスホン、セッション確立プロトコル（ＳＩＰ、Ｓｅｓｓｉｏｎ  Ｉｎｉｔｉａｔｉｏｎ  Ｐｒｏｔｏｃｏｌ）電話、ワイヤレスローカルループ（ＷＬＬ、Ｗｉｒｅｌｅｓｓ  Ｌｏｃａｌ  Ｌｏｏｐ）局、パーソナルデジタルアシスタント（ＰＤＡ、Ｐｅｒｓｏｎａｌ  Ｄｉｇｉｔａｌ  Ａｓｓｉｓｔａｎｔ）、無線通信機能を有する携帯端末、コンピューティングデバイス又は無線モデムに接続される他の処理装置、車載装置、ウェアラブル端末、将来の５Ｇネットワークにおける端末装置又は将来発展する公衆陸上移動網（ＰＬＭＮ、Ｐｕｂｌｉｃ  Ｌａｎｄ  Ｍｏｂｉｌｅ  Ｎｅｔｗｏｒｋ）ネットワークにおける端末装置等であってもよい。
【００３８】
本願はネットワーク装置と組み合わせて各実施例を説明した。ネットワーク装置は端末装置と通信するための装置であってもよく、例えば、ＧＳＭシステム又はＣＤＭＡにおける基地局（ＢＴＳ、Ｂａｓｅ  Ｔｒａｎｓｃｅｉｖｅｒ  Ｓｔａｔｉｏｎ）であってもよく、ＷＣＤＭＡシステムにおける基地局（ＮＢ、ＮｏｄｅＢ）であってもよく、更にＬＴＥシステムにおける発展型基地局（ｅＮＢ又はｅＮｏｄｅＢ、Ｅｖｏｌｕｔｉｏｎａｌ  Ｎｏｄｅ  Ｂ）であってもよく、又は、該ネットワーク装置は中継局、アクセスポイント、車載装置、ウェアラブル端末及び将来の５Ｇネットワークにおけるネットワーク側装置又は将来発展するＰＬＭＮネットワークにおけるネットワーク側装置等であってもよい。
【００３９】
図１は本願の実施例の応用シーンの模式図である。図１における通信システムはネットワーク装置１０及び端末装置２０を備えてもよい。ネットワーク装置１０は端末装置２０に通信サービスを提供してコアネットワークにアクセスすることに用いられ、端末装置２０はネットワーク装置１０から送信される同期信号、放送信号等を探索することによりネットワークにアクセスし、それによりネットワークと通信することができる。図１に示す矢印は端末装置２０とネットワーク装置１０との間のセルラーリンクによるアップリンク／ダウンリンク伝送を示してもよい。
【００４０】
本願の実施例におけるネットワークとは公衆陸上移動網（ＰＬＭＮ、Ｐｕｂｌｉｃ  Ｌａｎｄ  Ｍｏｂｉｌｅ  Ｎｅｔｗｏｒｋ）又は端末間（Ｄ２Ｄ、Ｄｅｖｉｃｅ  ｔｏ  Ｄｅｖｉｃｅ）ネットワーク又はマシン対マシン／マン（Ｍ２Ｍ、Ｍａｃｈｉｎｅ  ｔｏ  Ｍａｃｈｉｎｅ／Ｍａｎ）ネットワーク又は他のネットワークを指してもよく、図１は例示する概略模式図に過ぎず、ネットワークには更に他の端末装置が含まれてもよく、図１には図示していない。
【００４１】
端末装置のＤＲＸ周期（ＤＲＸ  Ｃｙｃｌｅ）にはオン期間（ｏｎ  ｄｕｒａｔｉｏｎ）及びオフ期間（Ｏｐｐｏｒｔｕｎｉｔｙ  ｆｏｒ  ＤＲＸ）が含まれ、図２に示すように、端末装置はオン期間内、即ちｏｎ  ｄｕｒａｔｉｏｎ時間帯内に物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）を検出（又はリスニングと呼ばれる）することができるが、端末装置はオフ期間内、即ちＯｐｐｏｒｔｕｎｉｔｙ  ｆｏｒ  ＤＲＸ内にＰＤＣＣＨの受信を停止する（この時、端末装置はＰＤＣＣＨのブラインド検出を停止する）ことにより電力消費を低減し、それにより電池の使用時間を延長することができる。即ち、ウェイクアップ期間内に端末装置がウェイクアップ状態にあるため、ＰＤＣＣＨを検出し、オフ期間内に端末装置がスリープ状態に入るため、チャネル又は信号の検出を行わない。
【００４２】
ネットワークは端末装置にＤＲＸ周期を構成し、それにより端末装置はオン期間内にＰＤＣＣＨを周期的に検出するようにするが、端末装置はオン期間内に機会的にスケジューリングされることになり、ひいては端末装置はサービス負荷がとても低い場合、少数のＤＲＸ周期のみにおいてスケジューリングされることになり、ＤＲＸメカニズムを用いるページングメッセージについては、端末がページングメッセージを受信した機会は更に少なくなる。従って、端末装置はＤＲＸメカニズムを構成した後、多数のＤＲＸ周期におけるオン期間内に制御チャネルを検出できないが、これらのＤＲＸのオン期間内に依然としてウェイクアップされることになり、このように、端末装置の不必要な電力消費を増加させる。従って、異なる端末装置は自体がＤＲＸ周期におけるオン期間内に実際にスケジューリングされたかどうかを把握する必要があり、それにより、電力消費を更に低減するために、スケジューリングされていない場合にスリープを維持する。
【００４３】
図３は本願の実施例の間欠受信方法の模式的なフローチャートである。図３に示される方法は端末装置により実行されてもよく、該端末装置は第１端末装置であり、該第１端末装置は例えば図１に示される端末装置２０であってもよい。図３に示すように、該間欠受信方法は以下のステップを含む。
【００４４】
３１０において、第１端末装置はネットワーク装置から送信されたダウンリンク制御チャネルを検出し、該ダウンリンク制御チャネルには少なくとも１つの端末装置の少なくとも１つのＤＲＸ情報が含まれる。
【００４５】
該少なくとも１つの端末装置のうちの各端末装置のＤＲＸ情報は、各端末装置のＤＲＸ情報の後のＤＲＸ周期におけるオン期間内にウェイクアップ又はスリープするように各端末装置に指示することに用いられる。
【００４６】
換言すれば、該少なくとも１つの端末装置のうちの各端末装置のＤＲＸ情報は、各端末装置のＤＲＸ情報を検出した時刻の後のオン期間内にウェイクアップ又はスリープするように各端末装置に指示することに用いられ、該時刻の後の該オン期間は該ＤＲＸ情報を受信するＤＲＸ周期におけるオン期間、又は該ＤＲＸ情報を受信するＤＲＸ周期の次のＤＲＸ周期におけるオン期間を含んでもよい。
【００４７】
具体的に、ネットワーク装置は少なくとも１つの端末装置にダウンリンク制御チャネルを送信し、それにより該少なくとも１つの端末装置にそれぞれのＤＲＸ情報を同時に指示する。各端末装置のＤＲＸ情報はそのＤＲＸ情報を検出した時刻の後のＤＲＸ周期におけるオン期間内にウェイクアップ又はスリープするように各端末装置に指示することに用いられる。又は、各端末装置のＤＲＸ情報は各端末装置がそのＤＲＸ情報を検出した時刻の後のＤＲＸ周期におけるオン期間内にスケジューリングされるかどうかを示し、スケジューリングされる場合、ウェイクアップする必要があるが、スケジューリングされていない場合、電力消費を低減するためにスリープする。例えば、第１端末装置はｉ番目のＤＲＸ周期において該ダウンリンク制御情報を検出して自体のＤＲＸ情報を取得する場合、該ＤＲＸ情報はｉ＋１番目のＤＲＸ周期におけるオン期間内にウェイクアップ又はスリープするように第１端末装置に指示してもよい。
【００４８】
選択肢として、該ダウンリンク制御チャネルには少なくとも１つのビット値が含まれ、該少なくとも１つのビット値は該少なくとも１つのＤＲＸ情報に１対１に対応し、該少なくとも１つのビット値のうちの各ビット値は各ビット値に対応するＤＲＸ情報を示すことに用いられる。
【００４９】
例えば、表１に示すように、該ダウンリンク制御チャネルがそれぞれＮ個の端末装置のＤＲＸ情報を示すためのＮ個のビット値を含み、Ｎ個のビット値がＮ個の端末装置のＮ個のＤＲＸ情報に１対１に対応することを仮定し、Ｎ個のビット値のうちのあるビット値が０である場合、該ビット値に対応するＤＲＸはＰＤＣＣＨ等を検出せずに、その後のＤＲＸ周期におけるオン期間内にスリープするように端末装置に指示することに用いられるが、Ｎ個のビット値のうちのあるビット値が１である場合、ＰＤＣＣＨ又はページングメッセージ等の情報の検出を行うよう、該ビット値に対応するＤＲＸはその後のＤＲＸ周期におけるオン期間内にウェイクアップするように端末装置に指示することに用いられる。
【００５０】
【表１】
2020535677.tif 000003
【００５１】
当然ながら、ビット値０でウェイクアップを示し、ビット値１でスリープを示してもよい。すなわち、Ｎ個のビット値のうちのあるビット値が１である場合、該ビット値に対応するＤＲＸはＰＤＣＣＨ等を検出せずに、その後のＤＲＸ周期におけるオン期間内にスリープするように端末装置に指示することに用いられるが、Ｎ個のビット値のうちのあるビット値が０である場合、ＰＤＣＣＨ又はページングメッセージ等の情報の検出を行うよう、該ビット値に対応するＤＲＸはその後のＤＲＸ周期におけるオン期間内にウェイクアップするように端末装置に指示することに用いられる。表１は単に一例とされる。
【００５２】
選択肢として、３１０の前に、即ち、第１端末装置がネットワーク装置から送信されたダウンリンク制御チャネルを検出する前に、該方法は更に、第１端末装置が第１端末装置の装置識別子に基づき、該ダウンリンク制御チャネルの属する制御チャネルグループを確定することと、第１端末装置が複数の制御チャネルグループと複数の無線ネットワーク一時識別子（ＲＮＴＩ、Ｒａｄｉｏ  Ｎｅｔｗｏｒｋ  Ｔｅｍｐｏｒａｒｙ  Ｉｄｅｎｔｉｔｙ）とのマッピング関係に基づき、該制御チャネルグループに対応する目標ＲＮＴＩを確定することと、を含み、
この場合、３１０において、該第１端末装置がネットワーク装置から送信されたダウンリンク制御チャネルを検出することは、第１端末装置が該目標ＲＮＴＩに基づき、該ダウンリンク制御チャネルを検出することを含む。
【００５３】
例えば、該第１端末装置は該第１端末装置の装置識別子（ＩＤ、Ｉｄｅｎｔｉｔｙ）、例えばＵＥ−ＩＤに基づいて、ＵＥ−ＩＤ  ｍｏｄ  Ｍを基に該ダウンリンク制御チャネルの位置する制御チャネルグループの番号を計算し、Ｍは正の整数であって、制御チャネルグループの総数である。第１端末装置は算出された制御チャネルグループの番号、及びＭ個の制御チャネルグループとＭ個のＲＮＴＩとのマッピング関係に基づき、該ダウンリンク制御チャネルを検出するためのＲＮＴＩを確定して、該目標ＲＮＴＩに基づき、該ダウンリンク制御チャネルを検出する。
【００５４】
選択肢として、複数の制御チャネルグループと複数のＲＮＴＩとのマッピング関係は、ネットワーク装置が無線リソース制御（ＲＲＣ、Ｒａｄｉｏ  Ｒｅｓｏｕｒｃｅ  Ｃｏｎｔｒｏｌ）シグナリングによって端末装置に通知したものであってもよく、又は該マッピング関係は端末装置とネットワーク装置とが予め決めた、端末装置に予め記憶されるものであってもよい。また、複数の制御チャネルグループと複数のＲＮＴＩとの該マッピング関係は図表、フォーム、公式等の任意の方式で示されてもよい。
【００５５】
選択肢として、３１０の前に、即ち、第１端末装置がネットワーク装置から送信されたダウンリンク制御チャネルを検出する前に、該方法は更に、第１端末装置がネットワーク装置から送信された、該ダウンリンク制御チャネルを検出するための目標ＲＮＴＩを指示する第１構成情報を受信することを含み、
この場合、３１０において、該第１端末装置がネットワーク装置から送信されたダウンリンク制御チャネルを検出することは、第１端末装置が該目標ＲＮＴＩに基づき、該ダウンリンク制御チャネルを検出することを含む。
【００５６】
該第１構成情報は、例えばネットワーク装置がＲＲＣシグナリング又は媒体アクセス制御（ＭＡＣ、Ｍｅｄｉｕｍ  Ａｃｃｅｓｓ  Ｃｏｎｔｒｏｌ）制御元素（ＣＥ、Ｃｏｎｔｒｏｌ  Ｅｌｅｍｅｎｔ）によって第１端末装置に送信したものであってもよく、第１端末装置は受信されたＲＲＣシグナリング又はＭＡＣ  ＣＥによって該目標ＲＮＴＩを直接に把握することができる。
【００５７】
選択肢として、３１０の前に、即ち、第１端末装置がネットワーク装置から送信されたダウンリンク制御チャネルを検出する前に、該方法は更に、第１端末装置がネットワーク装置から送信された、該ダウンリンク制御チャネルのチャネルフォーマットを指示するための第２構成情報を受信することを含み、
この場合、３１０において、該第１端末装置がネットワーク装置から送信されたダウンリンク制御チャネルを検出することは、第１端末装置が該ダウンリンク制御チャネルのチャネルフォーマット（Ｆｏｒｍａｔ）に基づき、該ダウンリンク制御チャネルを検出することを含む。
【００５８】
該第２構成情報は、例えばネットワーク装置がＲＲＣシグナリング又はＭＡＣ  ＣＥによって第１端末装置に送信したものであってもよく、第１端末装置は受信されたＲＲＣシグナリング又はＭＡＣ  ＣＥによって、該ダウンリンク制御チャネルを検出するためのチャネルフォーマットを取得することができる。
【００５９】
例えば、該ダウンリンク制御チャネルにダウンリンク制御情報（ＤＣＩ、Ｄｏｗｎｌｏａｄ  Ｃｏｎｔｒｏｌ  Ｉｎｆｏｒｍａｔｉｏｎ）がベアリングされ、該ＤＣＩにＮ個の端末装置のＮ個のＤＲＸ情報が含まれることを仮定する。Ｎが比較的大きく、即ち、ネットワーク装置が比較的多くの端末装置に該ダウンリンク制御チャネルを同時に送信する必要がある場合、ネットワーク装置は第１のＤＣＩフォーマットで該ＤＣＩがベアリングされるダウンリンク制御チャネルを送信してもよく、Ｎが比較的小さく、即ち、ネットワーク装置が比較的少ない端末装置に該ダウンリンク制御チャネルを同時に送信する必要がある場合、ネットワーク装置は第２のＤＣＩフォーマットで該ＤＣＩがベアリングされるダウンリンク制御チャネルを送信してもよい。第１のＤＣＩフォーマットのＤＣＩにおける複数のＤＲＸ情報を示すためのビットの数は、第２のＤＣＩフォーマットのＤＣＩにおける複数のＤＲＸ情報を示すためのビットの数より大きい。ネットワーク装置は使用されるチャネルフォーマット（例えば、第１のＤＣＩフォーマット又は第２のＤＣＩフォーマット）を第１端末装置に指示し、それにより、第１端末装置は対応するＤＣＩフォーマットに基づき、該ダウンリンク制御チャネルにベアリングされる、自体のＤＲＸ情報を含むＤＣＩを検出することができる。
【００６０】
選択肢として、３１０において、該第１端末装置がネットワーク装置から送信されたダウンリンク制御チャネルを検出することは、第１端末装置がネットワーク装置の該ＤＲＸ周期の前に送信した該ダウンリンク制御チャネルを検出すること、又は、第１端末装置が該ネットワーク装置の該ＤＲＸ周期におけるオン期間内の１番目のサブフレーム又は１番目のタイムスロットにおいて送信した該ダウンリンク制御チャネルを検出すること、又は、第１端末装置がネットワーク装置の制御チャネルの共通の探索空間において送信した該ダウンリンク制御チャネルを検出することを含む。
【００６１】
例えば、第１端末装置がｉ番目のＤＲＸ周期において該ダウンリンク制御チャネルを検出して、該ダウンリンク制御チャネルに基づいて自体のＤＲＸ情報を確定する場合、該ＤＲＸ情報はｉ＋１番目のＤＲＸ周期におけるオン期間内にウェイクアップ又はスリープするように第１端末装置に指示し、又は、ｉ＋１番目のＤＲＸ周期及びｉ＋１番目のＤＲＸ周期の後の若干のＤＲＸ周期におけるオン期間内にウェイクアップ又はスリープするように第１端末装置に指示してもよい。
【００６２】
更に、例えば、第１端末装置はｉ番目のＤＲＸ周期におけるオン期間内の１番目のサブフレーム又は１番目のタイムスロットにおいて該ダウンリンク制御チャネルを検出して、該ダウンリンク制御チャネルに基づいて自体のＤＲＸ情報を確定することができ、この場合、該ＤＲＸ情報はｉ番目のＤＲＸ周期におけるオン期間内にウェイクアップ又はスリープするように第１端末装置に指示してもよい。例えば、第１端末装置はあるＤＲＸ周期におけるオン期間内の１番目のサブフレームにおいて該ダウンリンク制御チャネルを検出して、該ＤＲＸ周期におけるオン期間内にスリープする必要があることを把握した場合、該ＤＲＸ周期が終了するまで、第１端末装置は該ＤＲＸ周期におけるオン期間内の２番目のサブフレームからスリープに入ってもよく、それにより電力消費を低減する。
【００６３】
更に、例えば、第１端末装置は制御チャネルの共通の探索空間において該ダウンリンク制御チャネルを検出して、該ダウンリンク制御チャネルに基づいて自体のＤＲＸ情報を確定した場合、該ＤＲＸ情報は該ＤＲＸ情報を検出した時刻の後の１つ又は複数のＤＲＸ周期におけるオン期間内にウェイクアップ又はスリープするように第１端末装置に指示する。
【００６４】
３２０において、第１端末装置は該少なくとも１つのＤＲＸ情報から該第１端末装置のＤＲＸ情報を確定する。
【００６５】
選択肢として、第１端末装置が該ダウンリンク制御チャネルに基づき、該少なくとも１つのＤＲＸ情報から第１端末装置のＤＲＸ情報を確定することは、第１端末装置が第１端末装置の番号に基づき、第１端末装置のＤＲＸ情報を確定することを含み、第１端末装置のＤＲＸ情報は該少なくとも１つのＤＲＸ情報のうちの該番号に対応するＤＲＸ情報である。
【００６６】
選択肢として、第１端末装置が第１端末装置の番号に基づき、第１端末装置のＤＲＸ情報を確定する前に、該方法は更に、第１端末装置がネットワーク装置から送信された、第１端末装置の該番号を指示するための第３構成情報を受信することを含む。
【００６７】
該第３構成情報は例えばネットワーク装置がＲＲＣシグナリング又はＭＡＣ  ＣＥによって第１端末装置に送信したものであってもよく、第１端末装置は受信されたＲＲＣシグナリング又はＭＡＣ  ＣＥによって第１端末装置の番号を取得することができる。
【００６８】
例えば、表２に示すように、該ダウンリンク制御チャネルがそれぞれＮ個の端末装置のＤＲＸ情報を示すためのＮ個のビット値を含み、Ｎ個のビット値がＮ個の端末装置のＮ個のＤＲＸ情報に１対１に対応することを仮定する。端末装置の番号が異なる場合、対応するＤＲＸ情報は異なり、該ＤＲＸ情報のビット値も異なることを示す。ネットワーク装置は第１端末装置の番号が１であることを通知する場合、対応するビット値１に基づき、次のＤＲＸ周期におけるオン期間内にウェイクアップすることを把握することができ、ネットワーク装置は第１端末装置の番号が２であることを通知する場合、対応するビット値０に基づき、次のＤＲＸ周期におけるオン期間内にスリープすることを把握することができ、ネットワーク装置は第１端末装置の番号がＮであることを通知する場合、対応するビット値１に基づき、次のＤＲＸ周期におけるオン期間内にウェイクアップすることを把握することができる。
【００６９】
【表２】
2020535677.tif 000004
【００７０】
３３０において、第１端末装置は第１端末装置のＤＲＸ情報に基づき、該ＤＲＸ周期におけるオン期間内にウェイクアップ又はスリープする。
【００７１】
従って、ネットワーク装置は複数の端末装置に該複数の端末装置の複数のＤＲＸ情報を同時に指示し、該複数の端末装置のうちの第１端末装置は該複数のＤＲＸ情報から自体のＤＲＸ情報を確定して、自体のＤＲＸ情報に基づいてその後のＤＲＸ周期におけるオン期間内にウェイクアップ又はスリープする。その後のＤＲＸ周期においてスケジューリングされていない場合、第１端末装置は該ＤＲＸ周期におけるオン期間内にスリープすることができるため、第１端末装置の電力消費を更に低減する。
【００７２】
図４は本願の実施例の間欠受信方法の模式的なフローチャートである。図４に示される方法はネットワーク装置により実行されてもよく、該ネットワーク装置は例えば図１に示されるネットワーク装置１０であってもよい。図４に示すように、該間欠受信方法は以下のステップを含む。
【００７３】
４１０において、ネットワーク装置は少なくとも１つの端末装置の少なくとも１つの間欠受信（ＤＲＸ）情報を確定し、前記少なくとも１つの端末装置のうちの各端末装置のＤＲＸ情報は、前記各端末装置のＤＲＸ情報の後のＤＲＸ周期におけるオン期間内にウェイクアップ又はスリープするように前記各端末装置に指示することに用いられる。
【００７４】
４２０において、前記ネットワーク装置は第１端末装置にダウンリンク制御チャネルを送信し、前記ダウンリンク制御チャネルには前記少なくとも１つのＤＲＸ情報が含まれ、これにより、前記第１端末装置は前記少なくとも１つのＤＲＸ情報から前記第１端末装置のＤＲＸ情報を確定して、前記第１端末装置のＤＲＸ情報に基づき、前記オン期間内にウェイクアップ又はスリープする。
【００７５】
従って、ネットワーク装置が複数の端末装置に該複数の端末装置の複数のＤＲＸ情報を同時に指示することにより、装置レベルのＤＲＸ情報の指示を実現し、これにより、該複数の端末装置は複数のＤＲＸ情報からそれぞれのＤＲＸ情報を確定した後、それぞれのＤＲＸ情報に基づいてその後のＤＲＸ周期におけるオン期間内にウェイクアップ又はスリープすることができ、それによりその後のＤＲＸ周期においてスケジューリングされていない端末装置は該ＤＲＸ周期におけるオン期間内にスリープすることができ、電力消費を更に低減する。
【００７６】
選択肢として、前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられる。
【００７７】
選択肢として、前記ネットワーク装置が前記第１端末装置にダウンリンク制御チャネルを送信する前に、前記方法は更に、前記ネットワーク装置が前記第１端末装置に複数の制御チャネルグループと複数の無線ネットワーク一時識別子（ＲＮＴＩ）とのマッピング関係を送信することを含み、前記第１端末装置は前記ダウンリンク制御チャネルの目標ＲＮＴＩを検出することに用いられ、前記目標ＲＮＴＩは前記ダウンリンク制御チャネルの属する制御チャネルグループに対応するＲＮＴＩである。
【００７８】
選択肢として、前記ネットワーク装置が前記第１端末装置にダウンリンク制御チャネルを送信する前に、前記方法は更に、前記ネットワーク装置は前記ダウンリンク制御チャネルを検出するための目標ＲＮＴＩを指示する第１構成情報を前記第１端末装置に送信することを含む。
【００７９】
選択肢として、前記ネットワーク装置が前記第１端末装置にダウンリンク制御チャネルを送信する前に、前記方法は更に、前記ネットワーク装置は前記ダウンリンク制御チャネルのチャネルフォーマットを指示するための第２構成情報を前記第１端末装置に送信することを含む。
【００８０】
該第２構成情報は、例えばネットワーク装置がＲＲＣシグナリング又はＭＡＣ  ＣＥによって第１端末装置に送信したものであってもよく、第１端末装置は受信されたＲＲＣシグナリング又はＭＡＣ  ＣＥによって、該ダウンリンク制御チャネルを検出するためのチャネルフォーマットを取得することができる。
【００８１】
選択肢として、前記ネットワーク装置が前記第１端末装置にダウンリンク制御チャネルを送信することは、前記ネットワーク装置が前記ＤＲＸ周期の前に前記第１端末装置に前記ダウンリンク制御チャネルを送信すること、又は、前記ネットワーク装置が前記ＤＲＸ周期におけるオン期間内の１番目のサブフレーム又は１番目のタイムスロットにおいて前記第１端末装置に前記ダウンリンク制御チャネルを送信すること、又は、前記ネットワーク装置が制御チャネルの共通の探索空間において前記第１端末装置に前記ダウンリンク制御チャネルを送信することを含む。
【００８２】
例えば、ネットワーク装置は少なくとも１つの端末装置にダウンリンク制御チャネルを送信することができ、少なくとも１つの端末装置における第１端末装置がそのｉ番目のＤＲＸ周期において該ダウンリンク制御チャネルを検出した場合、該ダウンリンク制御チャネルにベアリングされる該第１端末装置のＤＲＸ情報は、そのｉ＋１番目のＤＲＸ周期におけるオン期間内にウェイクアップ又はスリープするように該第１端末装置に指示し、又は、そのｉ＋１番目のＤＲＸ周期及びｉ＋１番目のＤＲＸ周期の後の若干のＤＲＸ周期におけるオン期間内にウェイクアップ又はスリープするように第１端末装置に指示してもよい。
【００８３】
更に、例えば、ネットワーク装置は少なくとも１つの端末装置にダウンリンク制御チャネルを送信することができ、少なくとも１つの端末装置のうちの第１端末装置がそのｉ番目のＤＲＸ周期におけるオン期間内の１番目のサブフレーム又は１番目のタイムスロットにおいて該ダウンリンク制御チャネルを検出した場合、該ダウンリンク制御チャネルにベアリングされる該第１端末装置のＤＲＸ情報は、そのｉ番目のＤＲＸ周期におけるオン期間内にウェイクアップ又はスリープするように第１端末装置に指示してもよい。例えば、ネットワーク装置が第１端末装置のあるＤＲＸ周期におけるオン期間内の１番目のサブフレームにおいて該ダウンリンク制御チャネルを送信し、第１端末装置は該ダウンリンク制御チャネルを検出して、該ＤＲＸ周期におけるオン期間内にスリープする必要があることを把握した場合、該ＤＲＸ周期が終了するまで、第１端末装置は該ＤＲＸ周期におけるオン期間内の２番目のサブフレームからスリープに入ってもよく、それにより電力消費を低減する。
【００８４】
更に、例えば、自体のＤＲＸ情報を検出した時刻の後の１つ又は複数のＤＲＸ周期におけるオン期間内にウェイクアップ又はスリープするように各端末装置に指示するために、ネットワーク装置は制御チャネルの共通の探索空間において少なくとも１つの端末装置にダウンリンク制御チャネルを送信することができる。
【００８５】
選択肢として、前記ネットワーク装置が前記第１端末装置にダウンリンク制御チャネルを送信する前に、前記方法は更に、前記ネットワーク装置は前記第１端末装置の番号を指示する第３構成情報を前記第１端末装置に送信することを含み、前記第１端末装置のＤＲＸ情報は前記少なくとも１つのＤＲＸ情報のうちの前記番号に対応するＤＲＸ情報である。
【００８６】
理解されるべきように、ネットワーク装置がＤＲＸ情報を指示する過程における具体的な詳細は、上記図３における端末装置の関連説明を参照してもよく、簡潔のため、ここで繰り返して説明しない。
【００８７】
更に理解されるべきように、本願の様々な実施例において、上記各過程の番号の順位は実行順序の前後を意味せず、各過程の実行順序はその機能及び内部論理によって決定されるべきであり、本願の実施例の実施過程を制限するためのものではない。
【００８８】
図５は本願の実施例による端末装置５００の模式的なブロック図である。該端末装置は第１端末装置であり、図５に示すように、該第１端末装置５００は送受信ユニット５１０、確定ユニット５２０及び処理ユニット５３０を備える。
送受信ユニット５１０は、ネットワーク装置から送信されたダウンリンク制御チャネルを検出することに用いられ、前記ダウンリンク制御チャネルには少なくとも１つの端末装置の少なくとも１つの間欠受信（ＤＲＸ）情報が含まれ、前記少なくとも１つの端末装置のうちの各端末装置のＤＲＸ情報は、前記各端末装置のＤＲＸ情報の後のＤＲＸ周期におけるオン期間内にウェイクアップ又はスリープするように前記各端末装置に指示することに用いられる。
確定ユニット５２０は、前記送受信ユニット５１０の検出した前記少なくとも１つのＤＲＸ情報から前記第１端末装置のＤＲＸ情報を確定することに用いられる。
処理ユニット５３０は、前記確定ユニット５２０の確定した前記第１端末装置のＤＲＸ情報に基づき、前記オン期間内にウェイクアップ又はスリープすることに用いられる。
【００８９】
従って、ネットワーク装置は複数の端末装置に該複数の端末装置の複数のＤＲＸ情報を同時に指示し、該複数の端末装置のうちの第１端末装置は該複数のＤＲＸ情報から自体のＤＲＸ情報を確定して、自体のＤＲＸ情報に基づいてその後のＤＲＸ周期におけるオン期間内にウェイクアップ又はスリープする。その後のＤＲＸ周期においてスケジューリングされていない場合、第１端末装置は該ＤＲＸ周期におけるオン期間内にスリープすることができるため、第１端末装置の電力消費を更に低減する。
【００９０】
選択肢として、前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられる。
【００９１】
選択肢として、前記確定ユニット５２０は更に、前記第１端末装置の装置識別子に基づき、前記ダウンリンク制御チャネルの属する制御チャネルグループを確定することと、複数の制御チャネルグループと複数の無線ネットワーク一時識別子ＲＮＴＩとのマッピング関係に基づき、前記制御チャネルグループに対応する目標ＲＮＴＩを確定することと、に用いられる。
前記送受信ユニット５１０は具体的に、前記目標ＲＮＴＩに基づき、前記ダウンリンク制御チャネルを検出することに用いられる。
【００９２】
選択肢として、前記送受信ユニット５１０は更に、ネットワーク装置から送信された、前記ダウンリンク制御チャネルを検出するための目標ＲＮＴＩを指示する第１構成情報を受信することと、前記目標ＲＮＴＩに基づき、前記ダウンリンク制御チャネルを検出することと、に用いられる。
【００９３】
選択肢として、前記送受信ユニット５１０は更に、前記ネットワーク装置から送信された、前記ダウンリンク制御チャネルのチャネルフォーマットを指示すための第２構成情報を受信することと、前記ダウンリンク制御チャネルのチャネルフォーマットに基づき、前記ダウンリンク制御チャネルを検出することと、に用いられる。
【００９４】
選択肢として、前記送受信ユニット５１０は具体的に、前記ネットワーク装置の前記ＤＲＸ周期の前に送信した前記ダウンリンク制御チャネルを検出すること、又は、前記ネットワーク装置の前記ＤＲＸ周期におけるオン期間内の１番目のサブフレーム又は１番目のタイムスロットにおいて送信した前記ダウンリンク制御チャネルを検出すること、又は、前記ネットワーク装置の制御チャネルの共通の探索空間において送信した前記ダウンリンク制御チャネルを検出することに用いられる。
【００９５】
選択肢として、前記確定ユニット５２０は具体的に、前記第１端末装置の番号に基づき、前記第１端末装置のＤＲＸ情報を確定することに用いられ、前記第１端末装置のＤＲＸ情報は前記少なくとも１つのＤＲＸ情報のうちの前記番号に対応するＤＲＸ情報である。
【００９６】
選択肢として、前記送受信ユニット５１０は更に、前記ネットワーク装置から送信された、前記第１端末装置の前記番号を指示するための第３構成情報を受信することに用いられる。
【００９７】
図６は本願の実施例によるネットワーク装置６００の模式的なブロック図である。図６に示すように、該ネットワーク装置６００は確定ユニット６１０及び送受信ユニット６２０を備える。
確定ユニット６１０は、少なくとも１つの端末装置の少なくとも１つの間欠受信（ＤＲＸ）情報を確定することに用いられ、前記少なくとも１つの端末装置のうちの各端末装置のＤＲＸ情報は、前記各端末装置のＤＲＸ情報の後のＤＲＸ周期におけるオン期間内にウェイクアップ又はスリープするように前記各端末装置に指示することに用いられる。
送受信ユニット６２０は、第１端末装置にダウンリンク制御チャネルを送信することに用いられ、前記ダウンリンク制御チャネルには前記確定ユニット６１０の確定した前記少なくとも１つのＤＲＸ情報が含まれ、それにより前記第１端末装置は前記少なくとも１つのＤＲＸ情報から前記第１端末装置のＤＲＸ情報を確定して、前記第１端末装置のＤＲＸ情報に基づき、前記オン期間内にウェイクアップ又はスリープする。
【００９８】
従って、ネットワーク装置は複数の端末装置に該複数の端末装置の複数のＤＲＸ情報を同時に指示することにより、装置レベルのＤＲＸ情報の指示を実現し、これにより、該複数の端末装置は複数のＤＲＸ情報からそれぞれのＤＲＸ情報を確定した後、それぞれのＤＲＸ情報に基づいてその後のＤＲＸ周期におけるオン期間内にウェイクアップ又はスリープすることができ、それによりその後のＤＲＸ周期においてスケジューリングされていない端末装置は該ＤＲＸ周期におけるオン期間内にスリープすることができ、電力消費を更に低減する。
【００９９】
選択肢として、前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられる。
【０１００】
選択肢として、前記送受信ユニット６２０は更に、前記第１端末装置に複数の制御チャネルグループと複数の無線ネットワーク一時識別子（ＲＮＴＩ）とのマッピング関係を送信することに用いられ、前記第１端末装置は前記ダウンリンク制御チャネルの目標ＲＮＴＩを検出することに用いられ、前記目標ＲＮＴＩは前記ダウンリンク制御チャネルの属する制御チャネルグループに対応するＲＮＴＩである。
【０１０１】
選択肢として、前記送受信ユニット６２０は更に、前記ダウンリンク制御チャネルを検出するための目標ＲＮＴＩを指示する第１構成情報を前記第１端末装置に送信することに用いられる。
【０１０２】
選択肢として、前記送受信ユニット６２０は更に、前記ダウンリンク制御チャネルのチャネルフォーマットを指示するための第２構成情報を前記第１端末装置に送信することに用いられる。
【０１０３】
選択肢として、前記送受信ユニット６２０は具体的に、前記ＤＲＸ周期の前に前記第１端末装置に前記ダウンリンク制御チャネルを送信すること、又は、前記ＤＲＸ周期におけるオン期間内の１番目のサブフレーム又は１番目のタイムスロットにおいて前記第１端末装置に前記ダウンリンク制御チャネルを送信すること、又は、制御チャネルの共通の探索空間において前記第１端末装置に前記ダウンリンク制御チャネルを送信することに用いられる。
【０１０４】
選択肢として、前記送受信ユニット６２０は更に、前記第１端末装置の番号を指示する第３構成情報を前記第１端末装置に送信することに用いられ、前記第１端末装置のＤＲＸ情報は前記少なくとも１つのＤＲＸ情報のうちの前記番号に対応するＤＲＸ情報である。
【０１０５】
図７は本願の実施例による端末装置７００の構造模式図である。図７に示すように、該端末装置はプロセッサ７１０、送受信機７２０及びメモリ７３０を備え、該プロセッサ７１０、送受信機７２０及びメモリ７３０は内部接続経路によって互いに通信する。該メモリ７３０は命令を記憶することに用いられ、信号を受信し又は信号を送信するように該送受信機７２０を制御するために、該プロセッサ７１０は該メモリ７３０に記憶される命令を実行することに用いられる。
【０１０６】
送受信機７２０は、ネットワーク装置から送信されたダウンリンク制御チャネルを検出することに用いられ、前記ダウンリンク制御チャネルには少なくとも１つの端末装置の少なくとも１つの間欠受信（ＤＲＸ）情報が含まれ、前記少なくとも１つの端末装置のうちの各端末装置のＤＲＸ情報は、前記各端末装置のＤＲＸ情報の後のＤＲＸ周期におけるオン期間内にウェイクアップ又はスリープするように前記各端末装置に指示することに用いられる。
該プロセッサ７１０は、送受信機７２０の検出した前記少なくとも１つのＤＲＸ情報から前記第１端末装置のＤＲＸ情報を確定することと、前記第１端末装置のＤＲＸ情報に基づき、前記オン期間内にウェイクアップ又はスリープすることと、に用いられる。
【０１０７】
従って、ネットワーク装置は複数の端末装置に該複数の端末装置の複数のＤＲＸ情報を同時に指示し、該複数の端末装置のうちの第１端末装置は該複数のＤＲＸ情報から自体のＤＲＸ情報を確定して、自体のＤＲＸ情報に基づいてその後のＤＲＸ周期におけるオン期間内にウェイクアップ又はスリープする。その後のＤＲＸ周期においてスケジューリングされていない場合、第１端末装置は該ＤＲＸ周期におけるオン期間内にスリープすることができるため、第１端末装置の電力消費を更に低減する。
【０１０８】
選択肢として、前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられる。
【０１０９】
選択肢として、前記プロセッサ７１０は更に、前記第１端末装置の装置識別子に基づき、前記ダウンリンク制御チャネルの属する制御チャネルグループを確定することと、複数の制御チャネルグループと複数の無線ネットワーク一時識別子（ＲＮＴＩ）とのマッピング関係に基づき、前記制御チャネルグループに対応する目標ＲＮＴＩを確定することと、に用いられる。
前記送受信機７２０は具体的に、前記目標ＲＮＴＩに基づき、前記ダウンリンク制御チャネルを検出することに用いられる。
【０１１０】
選択肢として、前記送受信機７２０は更に、ネットワーク装置から送信された、前記ダウンリンク制御チャネルを検出するための目標ＲＮＴＩを指示する第１構成情報を受信することと、前記目標ＲＮＴＩに基づき、前記ダウンリンク制御チャネルを検出することと、に用いられる。
【０１１１】
選択肢として、前記送受信機７２０は更に、前記ネットワーク装置から送信された、前記ダウンリンク制御チャネルのチャネルフォーマットを指示するための第２構成情報を受信することと、前記ダウンリンク制御チャネルのチャネルフォーマットに基づき、前記ダウンリンク制御チャネルを検出することと、に用いられる。
【０１１２】
選択肢として、前記送受信機７２０は具体的に、前記ネットワーク装置の前記ＤＲＸ周期の前に送信した前記ダウンリンク制御チャネルを検出すること、又は、前記ネットワーク装置の前記ＤＲＸ周期におけるオン期間内の１番目のサブフレーム又は１番目のタイムスロットにおいて送信した前記ダウンリンク制御チャネルを検出すること、又は、前記ネットワーク装置の制御チャネルの共通の探索空間において送信した前記ダウンリンク制御チャネルを検出することに用いられる。
【０１１３】
選択肢として、前記プロセッサ７１０は具体的に、前記第１端末装置の番号に基づき、前記第１端末装置のＤＲＸ情報を確定することに用いられ、前記第１端末装置のＤＲＸ情報は前記少なくとも１つのＤＲＸ情報のうちの前記番号に対応するＤＲＸ情報である。
【０１１４】
選択肢として、前記送受信機７２０は更に、前記ネットワーク装置から送信された、前記第１端末装置の前記番号を指示するための第３構成情報を受信することに用いられる。
【０１１５】
理解されるべきように、本願の実施例において、該プロセッサ７１０は中央処理装置（ＣＰＵ、Ｃｅｎｔｒａｌ  Ｐｒｏｃｅｓｓｉｎｇ  Ｕｎｉｔ）であってもよく、該プロセッサ７１０は更に他の汎用プロセッサ、デジタルシグナルプロセッサ（ＤＳＰ、Ｄｉｇｉｔａｌ  Ｓｉｇｎａｌ  Ｐｒｏｃｅｓｓｏｒ）、特定用途向け集積回路（ＡＳＩＣ、Ａｐｐｌｉｃａｔｉｏｎ  Ｓｐｅｃｉｆｉｃ  Ｉｎｔｅｇｒａｔｅｄ  Ｃｉｒｃｕｉｔ）、フィールドプログラマブルゲートアレイ（ＦＰＧＡ、Ｆｉｅｌｄ  Ｐｒｏｇｒａｍｍａｂｌｅ  Ｇａｔｅ  Ａｒｒａｙ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０１１６】
該メモリ７３０は読み出し専用メモリ及びランダムアクセスメモリを含んでもよく、且つプロセッサ７１０に命令及びデータを提供する。メモリ７３０の一部は更に不揮発性ランダムアクセスメモリを含んでもよい。
【０１１７】
実現過程において、上記方法の各ステップはプロセッサ７１０におけるハードウェアの集積論理回路又はソフトウェア形式の命令で完成してもよい。本願の実施例に開示される位置決め方法のステップはハードウェアプロセッサで実行して完成し、又はプロセッサ７１０におけるハードウェア及びソフトウェアモジュールの組み合わせで実行して完成するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ７３０に位置し、プロセッサ７１０はメモリ７３０における情報を読み取り、そのハードウェアと組み合わせて上記方法のステップを行う。重複を避けるため、ここで繰り返して説明しない。
【０１１８】
本願の実施例による端末装置７００は上記方法３００における方法３００を実行するための端末装置及び本願の実施例による端末装置５００に対応してもよく、且つ該端末装置７００における各ユニット又はモジュールはそれぞれ上記方法３００における端末装置の実行する各動作又は処理過程を実行するためのものであり、重複を避けるため、ここで繰り返して説明しない。
【０１１９】
図８は本願の実施例によるネットワーク装置８００の構造模式図である。図８に示すように、該ネットワーク装置はプロセッサ８１０、送受信機８２０及びメモリ８３０を備え、該プロセッサ８１０、送受信機８２０及びメモリ８３０は内部接続経路によって互いに通信する。該メモリ８３０は命令を記憶することに用いられ、信号を受信し又は信号を送信するように該送受信機８２０を制御するために、該プロセッサ８１０は該メモリ８３０に記憶される命令を実行することに用いられる。
【０１２０】
該プロセッサ８１０は、少なくとも１つの端末装置の少なくとも１つの間欠受信（ＤＲＸ）情報を確定することに用いられ、前記少なくとも１つの端末装置のうちの各端末装置のＤＲＸ情報は、前記各端末装置のＤＲＸ情報の後のＤＲＸ周期におけるオン期間内にウェイクアップ又はスリープするように前記各端末装置に指示することに用いられる。
該送受信機８２０は、第１端末装置にダウンリンク制御チャネルを送信することに用いられ、前記ダウンリンク制御チャネルにはプロセッサ８１０の確定した前記少なくとも１つのＤＲＸ情報が含まれ、それにより前記第１端末装置は前記少なくとも１つのＤＲＸ情報から前記第１端末装置のＤＲＸ情報を確定して、前記第１端末装置のＤＲＸ情報に基づき、前記オン期間内にウェイクアップ又はスリープする。
【０１２１】
従って、ネットワーク装置は複数の端末装置に該複数の端末装置の複数のＤＲＸ情報を同時に指示することにより、装置レベルのＤＲＸ情報の指示を実現し、これにより、該複数の端末装置は複数のＤＲＸ情報からそれぞれのＤＲＸ情報を確定した後、それぞれのＤＲＸ情報に基づいてその後のＤＲＸ周期におけるオン期間内にウェイクアップ又はスリープすることができ、それによりその後のＤＲＸ周期においてスケジューリングされていない端末装置は該ＤＲＸ周期におけるオン期間内にスリープすることができ、電力消費を更に低減する。
【０１２２】
選択肢として、前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられる。
【０１２３】
選択肢として、前記送受信機８２０は更に、前記第１端末装置に複数の制御チャネルグループと複数の無線ネットワーク一時識別子（ＲＮＴＩ）とのマッピング関係を送信することに用いられ、前記第１端末装置は前記ダウンリンク制御チャネルの目標ＲＮＴＩを検出することに用いられ、前記目標ＲＮＴＩは前記ダウンリンク制御チャネルの属する制御チャネルグループに対応するＲＮＴＩである。
【０１２４】
選択肢として、前記送受信機８２０は更に、前記ダウンリンク制御チャネルを検出するための目標ＲＮＴＩを指示する第１構成情報を前記第１端末装置に送信することに用いられる。
【０１２５】
選択肢として、前記送受信機８２０は更に、前記ダウンリンク制御チャネルのチャネルフォーマットを指示するための第２構成情報を前記第１端末装置に送信することに用いられる。
【０１２６】
選択肢として、前記送受信機８２０は具体的に、前記ＤＲＸ周期の前に前記第１端末装置に前記ダウンリンク制御チャネルを送信すること、又は、前記ＤＲＸ周期におけるオン期間内の１番目のサブフレーム又は１番目のタイムスロットにおいて前記第１端末装置に前記ダウンリンク制御チャネルを送信すること、又は、制御チャネルの共通の探索空間において前記第１端末装置に前記ダウンリンク制御チャネルを送信することに用いられる。
【０１２７】
選択肢として、前記送受信機８２０は更に、前記第１端末装置の番号を指示する第３構成情報を前記第１端末装置に送信することに用いられ、前記第１端末装置のＤＲＸ情報は前記少なくとも１つのＤＲＸ情報のうちの前記番号に対応するＤＲＸ情報である。
【０１２８】
理解されるべきように、本願の実施例において、該プロセッサ８１０は中央処理装置（ＣＰＵ、Ｃｅｎｔｒａｌ  Ｐｒｏｃｅｓｓｉｎｇ  Ｕｎｉｔ）であってもよく、該プロセッサ８１０は更に他の汎用プロセッサ、デジタルシグナルプロセッサ（ＤＳＰ）、特定用途向け集積回路（ＡＳＩＣ）、フィールドプログラマブルゲートアレイ（ＦＰＧＡ）又は他のプログラマブルロジックデバイス、個別ゲート又はトランジスタロジックデバイス、個別ハードウェアコンポーネント等であってもよい。汎用プロセッサはマイクロプロセッサであってもよく、又は該プロセッサはいかなる通常のプロセッサ等であってもよい。
【０１２９】
該メモリ８３０は読み出し専用メモリ及びランダムアクセスメモリを含んでもよく、且つプロセッサ８１０に命令及びデータを提供する。メモリ８３０の一部は更に不揮発性ランダムアクセスメモリを含んでもよい。実現過程において、上記方法の各ステップはプロセッサ８１０におけるハードウェアの集積論理回路又はソフトウェア形式の命令で完成してもよい。本願の実施例に開示される位置決め方法のステップはハードウェアプロセッサで実行して完成し、又はプロセッサ８１０におけるハードウェア及びソフトウェアモジュールの組み合わせで実行して完成するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ８３０に位置し、プロセッサ８１０はメモリ８３０における情報を読み取り、そのハードウェアと組み合わせて上記方法のステップを行う。重複を避けるため、ここで繰り返して説明しない。
【０１３０】
本願の実施例によるネットワーク装置８００は上記方法４００における方法４００を実行するためのネットワーク装置及び本願の実施例によるネットワーク装置６００に対応してもよく、且つ該ネットワーク装置８００における各ユニット又はモジュールはそれぞれ上記方法４００におけるネットワーク装置の実行する各動作又は処理過程を実行するためのものであり、重複を避けるため、ここで繰り返して説明しない。
【０１３１】
図９は本願の実施例のシステムチップの１つの構造模式図である。図９におけるシステムチップ９００は入力インターフェース９０１、出力インターフェース９０２、少なくとも１つのプロセッサ９０３、メモリ９０４を備え、前記入力インターフェース９０１、出力インターフェース９０２、前記プロセッサ９０３及びメモリ９０４は内部接続経路によって互いに接続される。前記プロセッサ９０３は前記メモリ９０４におけるコードを実行することに用いられる。
【０１３２】
選択肢として、前記コードが実行されるとき、前記プロセッサ９０３は方法実施例における端末装置の実行する方法３００を実現することができる。簡潔のため、ここで繰り返して説明しない。
【０１３３】
選択肢として、前記コードが実行されるとき、前記プロセッサ９０３は方法実施例におけるネットワーク装置の実行する方法４００を実現することができる。簡潔のため、ここで繰り返して説明しない。
【０１３４】
当業者であれば意識できるように、本明細書に開示される実施例を参照して説明した各例示的なユニット及びアルゴリズムステップは、電子ハードウェア、又はコンピュータソフトウェア及び電子ハードウェアの組み合わせで実現できる。これらの機能をハードウェアそれともソフトウェア方式で実行するかは、技術案の特定応用及び設計制約条件によって決定される。当業者は各特定応用に対して異なる方法でここの説明される機能を実現することができるが、このような実現は本願の範囲を超えるものと見なされるべきではない。
【０１３５】
当業者であれば明確に理解できるように、説明を容易且つ簡単にするために、上記説明されるシステム、装置及びユニットの具体的な動作過程は、前述の方法実施例における対応過程を参照してもよく、ここで繰り返して説明しない。
【０１３６】
本願によるいくつかの実施例において、理解されるべきように、開示されるシステム、装置及び方法は他の方式で実現されてもよい。例えば、以上に説明される装置実施例は模式的なものに過ぎず、例えば、該ユニットの区分は論理機能上の区分に過ぎず、実際に実現するとき、他の区分方式があってもよく、例えば複数のユニット又はコンポーネントは他のシステムに結合又は統合されてもよく、又はいくつかの特徴は省略してもよく、又は実行しなくてもよい。一方、表示又は検討される相互間の結合又は直接結合又は通信接続はいくつかのインターフェース、装置又はユニットによる間接結合又は通信接続であってもよく、電気、機械又は他の形式であってもよい。
【０１３７】
分離部材として説明される該ユニットは物理的に分離してもよいし、物理的に分離しなくてもよく、ユニットとして表示される部材は物理ユニットであってもよいし、物理ユニットでなくてもよく、つまり、一箇所に位置してもよいし、複数のネットワークユニットに構成されてもよい。実際の必要に応じて、その一部又は全部のユニットを選択して本実施例案の目的を実現してもよい。
【０１３８】
また、本願の各実施例において、各機能ユニットは１つの監視ユニットに統合されてもよく、各ユニットは独立して物理的に存在してもよく、２つ又は２つ以上のユニットは１つのユニットに統合されてもよい。
【０１３９】
該機能はソフトウェア機能ユニットの形式で実現され、独立した製品として販売又は使用されるときは、１つのコンピュータ可読記憶媒体に記憶されてもよい。このような理解に基づき、本願の技術案の本質的又は従来技術に貢献する部分、又は該技術案の一部はソフトウェア製品の形式で具現されてもよく、該コンピュータソフトウェア製品は、１台のコンピュータ装置（パーソナルコンピュータ、サーバ又はネットワーク装置等）に本願の各実施例に記載の方法の全部又は一部のステップを実行させるための若干の命令を含む１つの記憶媒体に記憶される。そして、上記記憶媒体はＵＳＢメモリ、ポータブルハードディスク、読み出し専用メモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、磁気ディスク又は光ディスク等のプログラムコードを記憶できる様々な媒体を含む。
【０１４０】
以上は本願の具体的な実施形態に過ぎず、本願の実施例の保護範囲を制限するためのものではなく、当業者が本願の実施例に開示される技術的範囲内に容易に想到し得る変更や置換は、いずれも本願の保護範囲内に含まれるべきである。従って、本願の実施例の保護範囲は特許請求の範囲に準じるべきである。
【図１】
2020535677.tif 000005
【図２】
2020535677.tif 000006
【図３】
2020535677.tif 000007
【図４】
2020535677.tif 000008
【図５】
2020535677.tif 000009
【図６】
2020535677.tif 000010
【図７】
2020535677.tif 000011
【図８】
2020535677.tif 000012
【図９】
2020535677.tif 000013
【手続補正書】
【提出日】令和2年7月30日(2020.7.30)
【手続補正１】
【補正対象書類名】明細書
【補正対象項目名】０００２
【補正方法】変更
【補正の内容】
【０００２】
端末装置の節電のために、間欠受信（ＤＲＸ、Ｄｉｓｃｏｎｔｉｎｕｏｕｓ  Ｒｅｃｅｐｔｉｏｎ）メカニズムが導入されている。各ＤＲＸ周期（ＤＲＸ  Ｃｙｃｌｅ）にはオン期間（ｏｎ  ｄｕｒａｔｉｏｎ）及びオフ期間（Ｏｐｐｏｒｔｕｎｉｔｙ  ｆｏｒ  ＤＲＸ）が含まれ、オン期間にあるとき、端末装置は制御チャネルを検出するが、オフ期間にあるとき、端末装置は制御チャネルの受信を停止する（この時、端末装置は制御チャネルのブラインド検出を停止する）ことにより電力消費を低減することができ、それにより電池の使用時間を延長する。
【手続補正２】
【補正対象書類名】明細書
【補正対象項目名】００４１
【補正方法】変更
【補正の内容】
【００４１】
端末装置のＤＲＸ周期（ＤＲＸ  Ｃｙｃｌｅ）にはオン期間（ｏｎ  ｄｕｒａｔｉｏｎ）及びオフ期間（Ｏｐｐｏｒｔｕｎｉｔｙ  ｆｏｒ  ＤＲＸ）が含まれ、図２に示すように、端末装置はオン期間内、即ちｏｎ  ｄｕｒａｔｉｏｎ時間帯内に物理ダウンリンク制御チャネル（ＰＤＣＣＨ、Ｐｈｙｓｉｃａｌ  Ｄｏｗｎｌｉｎｋ  Ｃｏｎｔｒｏｌ  Ｃｈａｎｎｅｌ）を検出（又はリスニングと呼ばれる）することができるが、端末装置はオフ期間内、即ちＯｐｐｏｒｔｕｎｉｔｙ  ｆｏｒ  ＤＲＸ内にＰＤＣＣＨの受信を停止する（この時、端末装置はＰＤＣＣＨのブラインド検出を停止する）ことにより電力消費を低減し、それにより電池の使用時間を延長することができる。即ち、オン期間内に端末装置がウェイクアップ状態にあるため、ＰＤＣＣＨを検出し、オフ期間内に端末装置がスリープ状態に入るため、チャネル又は信号の検出を行わない。
【手続補正３】
【補正対象書類名】明細書
【補正対象項目名】００４９
【補正方法】変更
【補正の内容】
【００４９】
例えば、表１に示すように、該ダウンリンク制御チャネルがそれぞれＮ個の端末装置のＤＲＸ情報を示すためのＮ個のビット値を含み、Ｎ個のビット値がＮ個の端末装置のＮ個のＤＲＸ情報に１対１に対応することを仮定し、Ｎ個のビット値のうちのあるビット値が０である場合、該ビット値に対応するＤＲＸ情報はＰＤＣＣＨ等を検出せずに、その後のＤＲＸ周期におけるオン期間内にスリープするように端末装置に指示することに用いられるが、Ｎ個のビット値のうちのあるビット値が１である場合、ＰＤＣＣＨ又はページングメッセージ等の情報の検出を行うよう、該ビット値に対応するＤＲＸ情報はその後のＤＲＸ周期におけるオン期間内にウェイクアップするように端末装置に指示することに用いられる。
【手続補正４】
【補正対象書類名】明細書
【補正対象項目名】００５１
【補正方法】変更
【補正の内容】
【００５１】
当然ながら、ビット値０でウェイクアップを示し、ビット値１でスリープを示してもよい。すなわち、Ｎ個のビット値のうちのあるビット値が１である場合、該ビット値に対応するＤＲＸ情報はＰＤＣＣＨ等を検出せずに、その後のＤＲＸ周期におけるオン期間内にスリープするように端末装置に指示することに用いられるが、Ｎ個のビット値のうちのあるビット値が０である場合、ＰＤＣＣＨ又はページングメッセージ等の情報の検出を行うよう、該ビット値に対応するＤＲＸ情報はその後のＤＲＸ周期におけるオン期間内にウェイクアップするように端末装置に指示することに用いられる。表１は単に一例とされる。
【手続補正５】
【補正対象書類名】明細書
【補正対象項目名】０１１７
【補正方法】変更
【補正の内容】
【０１１７】
実現過程において、上記方法の各ステップはプロセッサ７１０におけるハードウェアの集積論理回路又はソフトウェア形式の命令で完成してもよい。本願の実施例に開示される間欠受信方法のステップはハードウェアプロセッサで実行して完成し、又はプロセッサ７１０におけるハードウェア及びソフトウェアモジュールの組み合わせで実行して完成するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ７３０に位置し、プロセッサ７１０はメモリ７３０における情報を読み取り、そのハードウェアと組み合わせて上記方法のステップを行う。重複を避けるため、ここで繰り返して説明しない。
該送受信機８２０は、第１端末装置にダウンリンク制御チャネルを送信することに用いられ、前記ダウンリンク制御チャネルにはプロセッサ８１０の確定した前記少なくとも１つのＤＲＸ情報が含まれ、それにより前記第１端末装置は前記少なくとも１つのＤＲＸ情報から前記第１端末装置のＤＲＸ情報を確定して、前記第１端末装置のＤＲＸ情報に基づき、前記オン期間内にウェイクアップ又はスリープする。
【手続補正６】
【補正対象書類名】明細書
【補正対象項目名】０１２９
【補正方法】変更
【補正の内容】
【０１２９】
該メモリ８３０は読み出し専用メモリ及びランダムアクセスメモリを含んでもよく、且つプロセッサ８１０に命令及びデータを提供する。メモリ８３０の一部は更に不揮発性ランダムアクセスメモリを含んでもよい。実現過程において、上記方法の各ステップはプロセッサ８１０におけるハードウェアの集積論理回路又はソフトウェア形式の命令で完成してもよい。本願の実施例に開示される間欠受信方法のステップはハードウェアプロセッサで実行して完成し、又はプロセッサ８１０におけるハードウェア及びソフトウェアモジュールの組み合わせで実行して完成するように直接に具現されてもよい。ソフトウェアモジュールはランダムアクセスメモリ、フラッシュメモリ、読み出し専用メモリ、プログラム可能読み出し専用メモリ又は電気消去可能プログラム可能メモリ、レジスタ等の本分野で成熟している記憶媒体に位置してもよい。該記憶媒体はメモリ８３０に位置し、プロセッサ８１０はメモリ８３０における情報を読み取り、そのハードウェアと組み合わせて上記方法のステップを行う。重複を避けるため、ここで繰り返して説明しない。
【手続補正７】
【補正対象書類名】特許請求の範囲
【補正対象項目名】全文
【補正方法】変更
【補正の内容】
【特許請求の範囲】
【請求項１】
第１端末装置がネットワーク装置から送信されたダウンリンク制御チャネルを検出し、前記ダウンリンク制御チャネルに少なくとも１つの端末装置の少なくとも１つの間欠受信（ＤＲＸ）情報が含まれ、前記少なくとも１つの端末装置のうちの各端末装置のＤＲＸ情報は、前記各端末装置のＤＲＸ情報の後のＤＲＸ周期におけるオン期間内にウェイクアップ又はスリープするように前記各端末装置に指示することに用いられることと、
前記第１端末装置が前記少なくとも１つのＤＲＸ情報から前記第１端末装置のＤＲＸ情報を確定することと、
前記第１端末装置が前記第１端末装置のＤＲＸ情報に基づき、前記オン期間内にウェイクアップ又はスリープすることと、を含むことを特徴とする間欠受信方法。
【請求項２】
前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられることを特徴とする請求項１に記載の方法。
【請求項３】
前記第１端末装置がネットワーク装置から送信されたダウンリンク制御チャネルを検出する前に、前記方法は更に、
前記第１端末装置がネットワーク装置から送信された、前記ダウンリンク制御チャネルを検出するための目標ＲＮＴＩを指示する第１構成情報を受信することを含み、
前記第１端末装置がネットワーク装置から送信されたダウンリンク制御チャネルを検出することは、
前記第１端末装置が前記目標ＲＮＴＩに基づき、前記ダウンリンク制御チャネルを検出することを含むことを特徴とする請求項１又は２に記載の方法。
【請求項４】
前記第１端末装置がネットワーク装置から送信されたダウンリンク制御チャネルを検出する前に、前記方法は更に、
前記第１端末装置が前記ネットワーク装置から送信された、前記ダウンリンク制御チャネルのチャネルフォーマットを指示するための第２構成情報を受信することを含み、
前記第１端末装置がネットワーク装置から送信されたダウンリンク制御チャネルを検出することは、
前記第１端末装置が前記ダウンリンク制御チャネルのチャネルフォーマットに基づき、前記ダウンリンク制御チャネルを検出することを含むことを特徴とする請求項１〜３のいずれか１項に記載の方法。
【請求項５】
前記第１端末装置がネットワーク装置から送信されたダウンリンク制御チャネルを検出することは、
前記第１端末装置が前記ネットワーク装置の前記ＤＲＸ周期の前に送信した前記ダウンリンク制御チャネルを検出すること、又は
前記第１端末装置が前記ネットワーク装置の前記ＤＲＸ周期におけるオン期間内の１番目のサブフレーム又は１番目のタイムスロットにおいて送信した前記ダウンリンク制御チャネルを検出すること、又は
前記第１端末装置が前記ネットワーク装置の制御チャネルの共通の探索空間において送信した前記ダウンリンク制御チャネルを検出することを含むことを特徴とする請求項１〜４のいずれか１項に記載の方法。
【請求項６】
前記第１端末装置が前記少なくとも１つのＤＲＸ情報から前記第１端末装置のＤＲＸ情報を確定することは、
前記第１端末装置が前記第１端末装置の番号に基づき、前記第１端末装置のＤＲＸ情報を確定することを含み、前記第１端末装置のＤＲＸ情報は前記少なくとも１つのＤＲＸ情報のうちの前記番号に対応するＤＲＸ情報であることを特徴とする請求項１〜５のいずれか１項に記載の方法。
【請求項７】
前記第１端末装置が前記第１端末装置の番号に基づき、前記第１端末装置のＤＲＸ情報を確定する前に、前記方法は更に、
前記第１端末装置が前記ネットワーク装置から送信された、前記第１端末装置の前記番号を指示するための第３構成情報を受信することを含むことを特徴とする請求項６に記載の方法。
【請求項８】
端末装置であって、前記端末装置は第１端末装置であり、前記端末装置は、
ネットワーク装置から送信されたダウンリンク制御チャネルを検出することに用いられ、前記ダウンリンク制御チャネルに少なくとも１つの端末装置の少なくとも１つの間欠受信（ＤＲＸ）情報が含まれ、前記少なくとも１つの端末装置のうちの各端末装置のＤＲＸ情報が、前記各端末装置のＤＲＸ情報の後のＤＲＸ周期におけるオン期間内にウェイクアップ又はスリープするように前記各端末装置に指示することに用いられる送受信ユニットと、
前記送受信ユニットの検出した前記少なくとも１つのＤＲＸ情報から前記第１端末装置のＤＲＸ情報を確定することに用いられる確定ユニットと、
前記確定ユニットの確定した前記第１端末装置のＤＲＸ情報に基づき、前記オン期間内にウェイクアップ又はスリープすることに用いられる処理ユニットと、を備えることを特徴とする端末装置。
【請求項９】
前記ダウンリンク制御チャネルには少なくとも１つのビット値が含まれ、前記少なくとも１つのビット値は前記少なくとも１つのＤＲＸ情報に１対１に対応し、前記少なくとも１つのビット値のうちの各ビット値は前記各ビット値に対応するＤＲＸ情報を示すことに用いられることを特徴とする請求項８に記載の端末装置。
【請求項１０】
前記送受信ユニットは更に、
ネットワーク装置から送信された、前記ダウンリンク制御チャネルを検出するための目標ＲＮＴＩを指示する第１構成情報を受信することと、
前記目標ＲＮＴＩに基づき、前記ダウンリンク制御チャネルを検出することと、に用いられることを特徴とする請求項８又は９に記載の端末装置。
【請求項１１】
前記送受信ユニットは更に、
前記ネットワーク装置から送信された、前記ダウンリンク制御チャネルのチャネルフォーマットを指示するための第２構成情報を受信することと、
前記ダウンリンク制御チャネルのチャネルフォーマットに基づき、前記ダウンリンク制御チャネルを検出することと、に用いられることを特徴とする請求項８〜１０のいずれか１項に記載の端末装置。
【請求項１２】
前記送受信ユニットは具体的に、
前記ネットワーク装置の前記ＤＲＸ周期の前に送信した前記ダウンリンク制御チャネルを検出すること、又は
前記ネットワーク装置の前記ＤＲＸ周期におけるオン期間内の１番目のサブフレーム又は１番目のタイムスロットにおいて送信した前記ダウンリンク制御チャネルを検出すること、又は
前記ネットワーク装置の制御チャネルの共通の探索空間において送信した前記ダウンリンク制御チャネルを検出することに用いられることを特徴とする請求項８〜１１のいずれか１項に記載の端末装置。
【請求項１３】
前記確定ユニットは具体的に、
前記第１端末装置の番号に基づき、前記第１端末装置のＤＲＸ情報を確定することに用いられ、前記第１端末装置のＤＲＸ情報は前記少なくとも１つのＤＲＸ情報のうちの前記番号に対応するＤＲＸ情報であることを特徴とする請求項８〜１２のいずれか１項に記載の端末装置。
【請求項１４】
前記送受信ユニットは更に、
前記ネットワーク装置から送信された、前記第１端末装置の前記番号を指示するための第３構成情報を受信することに用いられることを特徴とする請求項１３に記載の端末装置。
【国際調査報告】
2020535677.tif 000014
2020535677.tif 000015
2020535677.tif 000016
2020535677.tif 000017